(57)【要約】【課題】部品点数の低減が可能な表示モジュール及びこの表示モジュールを備えた電子装置を提供する。【解決手段】画像を表示する表示面を有する表示パネルと、前記表示パネルの表示面に第１接着剤を介して接着された裏面及びこの裏面と対向する表面を有するタッチパネルと、前記タッチパネルの表面に第２接着剤を介して接着された内面及びこの内面と対向する外面を有する略平坦な主要部と、前記主要部の両端部からそれぞれ前記表示パネルが接着される背面側に向かってカーブした脚部と、を備えたカバーガラスと、前記カバーガラスの前記脚部が固定される固定面を備えたリアケースと、を備えたことを特徴とする電子装置。【選択図】      図２
2014010294.tif 000002
【特許請求の範囲】
【請求項１】
画像を表示する表示面を有する表示パネルと、
前記表示パネルの表示面に第１接着剤を介して接着された裏面及びこの裏面と対向する表面を有するタッチパネルと、
前記タッチパネルの表面に第２接着剤を介して接着された内面及びこの内面と対向する外面を有する略平坦な主要部と、前記主要部の両端部からそれぞれ前記表示パネルが接着される背面側に向かってカーブした脚部と、を備えたカバーガラスと、
前記カバーガラスの前記脚部が固定される固定面を備えたリアケースと、
を備えたことを特徴とする電子装置。
【請求項２】
前記脚部は、遮光されたことを特徴とする請求項１に記載の電子装置。
【請求項３】
前記カバーガラスの前記主要部は、前記表示パネルの前記表示面を囲む枠状に遮光されたことを特徴とする請求項１または２に記載の電子装置。
【請求項４】
さらに、前記リアケースの前記固定面に設置された発光素子を備え、
前記カバーガラスは、前記脚部に前記発光素子を収容する凹部を備えたことを特徴とする請求項１乃至３のいずれか１項に記載の電子装置。
【請求項５】
前記表示パネルは、第１基板と第２基板との間に液晶層を保持した液晶表示パネルと、前記第１基板の背面側に位置するバックライトと、を備えたことを特徴とする請求項１乃至４のいずれか１項に記載の電子装置。
【請求項６】
画像を表示する表示面を有する表示パネルと、
前記表示パネルの表示面に第１接着剤を介して接着された裏面及びこの裏面と対向する表面を有するタッチパネルと、
前記タッチパネルの表面に第２接着剤を介して接着された内面及びこの内面と対向する外面を有する略平坦な主要部と、前記主要部の両端部からそれぞれ前記表示パネルが接着される背面側に向かってカーブした脚部と、を備えたカバーガラスと、
を備えたことを特徴とする表示モジュール。
【発明の詳細な説明】
【技術分野】
【０００１】
本発明の実施形態は、表示モジュール及び電子装置に関する。
【背景技術】
【０００２】
携帯端末機器などの電子装置においては、液晶表示装置などの種々の表示パネルが適用されている。このような電子装置において、表示パネルの表示面に透明な保護板（カバーガラス）が設置されている。保護板は、表示パネルの表示面に傷が付いて表示が見難くなるのを防ぐとともに、落下時や強い衝撃を受けた際にも、表示パネルが損傷するのを防止する。近年、液晶表示パネルの表示面に保護板を直接貼り付けることが提案されている（例えば、特許文献１）。一方で、電子装置において、表示パネルを固定する構造について種々検討されている。例えば、フロントケースのＬＣＤフレームに導光板や光学シート、ＬＣＤなどを収納した状態で、このフロントケースにスクリーンを貼り付けることで、ＬＣＤを固定することが提案されている（特許文献２）。
【先行技術文献】
【特許文献】
【０００３】
【特許文献１】特開２０１１−１５０３３２号公報
【特許文献２】特開２００９−１０３９６６号公報
【発明の概要】
【発明が解決しようとする課題】
【０００４】
本実施形態の目的は、部品点数の低減が可能な表示モジュール及びこの表示モジュールを備えた電子装置を提供することにある。
【課題を解決するための手段】
【０００５】
本実施形態によれば、
画像を表示する表示面を有する表示パネルと、前記表示パネルの表示面に第１接着剤を介して接着された裏面及びこの裏面と対向する表面を有するタッチパネルと、前記タッチパネルの表面に第２接着剤を介して接着された内面及びこの内面と対向する外面を有する略平坦な主要部と、前記主要部の両端部からそれぞれ前記表示パネルが接着される背面側に向かってカーブした脚部と、を備えたカバーガラスと、前記カバーガラスの前記脚部が固定される固定面を備えたリアケースと、を備えたことを特徴とする電子装置が提供される。
【０００６】
本実施形態によれば、
画像を表示する表示面を有する表示パネルと、前記表示パネルの表示面に第１接着剤を介して接着された裏面及びこの裏面と対向する表面を有するタッチパネルと、前記タッチパネルの表面に第２接着剤を介して接着された内面及びこの内面と対向する外面を有する略平坦な主要部と、前記主要部の両端部からそれぞれ前記表示パネルが接着される背面側に向かってカーブした脚部と、を備えたカバーガラスと、を備えたことを特徴とする表示モジュールが提供される。
【図面の簡単な説明】
【０００７】
【図１】図１は、本実施形態の電子装置１の構成例を概略的に示す斜視図である。
【図２】図２は、図１に示した電子装置１をＩＩ−ＩＩ線で切断したときの内部構造を概略的に示す断面図である。
【図３】図３は、図１に示した電子装置１の他の内部構造を概略的に示す断面図である。
【図４】図４は、図２に示した表示パネルＰＮＬの一構成例を概略的に示す断面図である。
【図５】図５は、図１に示した電子装置１の他の構成例を概略的に示す断面図である。
【図６】図６は、図１に示した電子装置１の他の構成例を概略的に示す平面図である。
【図７】図７は、図１に示した電子装置１の他の構成例を概略的に示す断面図である。
【図８】図８は、図１に示した電子装置１の他の構成例を概略的に示す断面図である。
【図９】図９は、図１に示した電子装置１の他の構成例を概略的に示す断面図である。
【図１０】図１０は、図１に示した電子装置１の他の構成例を概略的に示す断面図である。
【発明を実施するための形態】
【０００８】
以下、本実施形態について、図面を参照しながら詳細に説明する。なお、各図において、同一又は類似した機能を発揮する構成要素には同一の参照符号を付し、重複する説明は省略する。
【０００９】
図１は、本実施形態の電子装置１の構成例を概略的に示す斜視図である。
【００１０】
電子装置１は、電子装置１の前面側に位置するカバーガラスＣＧと、電子装置１の背面側に位置するリアケースＲＣとを備えている。つまり、これらのカバーガラスＣＧ及びリアケースＲＣは、電子装置１の外装部材に相当する。
【００１１】
カバーガラスＣＧは、透明なガラスによって形成され、主要部ＭＢと、脚部Ｌ１及びＬ２とを備えている。主要部ＭＢは、略平坦であり、図示した例では、第１方向Ｘ及び第２方向Ｙで規定されるＸ−Ｙ平面に平行な平板状である。この主要部ＭＢは、例えば、四角形状であり、一端部ＭＢ１と、この一端部ＭＢ１の反対側に位置する他端部ＭＢ２と、を有している。脚部Ｌ１は、主要部ＭＢの一端部ＭＢ１に繋がっている。脚部Ｌ２は、主要部ＭＢの他端部ＭＢ２に繋がっている。これらの脚部Ｌ１及びＬ２は、電子装置１の背面側に向かってカーブし、Ｘ−Ｙ平面に直交する第３方向Ｚに沿って延出している。カバーガラスＣＧの側面Ｓ１及びＳ２は、主要部ＭＢから脚部Ｌ１及びＬ２に亘って形成されている。
【００１２】
このようなカバーガラスＣＧについて、換言すると、平板状のガラスの両端が湾曲、屈曲、あるいは、カールした形状であり、そのうちの平坦な部分が主要部ＭＢに相当し、主要部ＭＢが延在する方向とは異なる方向に延出した部分が脚部Ｌ１及びＬ２に相当する。
【００１３】
リアケースＲＣは、例えば、金属やプラスチックなどで形成されている。このリアケースＲＣは、カバーガラスＣＧが隙間無く嵌合するような形状を成している。つまり、リアケースＲＣは、カバーガラスＣＧの脚部Ｌ１及びＬ２、側面Ｓ１及びＳ２にそれぞれ接している。なお、詳述しないが、このリアケースＲＣには、電子装置１を操作するための各種ボタン、データを入出力するための各種端子などが設けられていても良い。
【００１４】
図２は、図１に示した電子装置１をＩＩ−ＩＩ線で切断したときの内部構造を概略的に示す断面図である。
【００１５】
電子装置１は、表示パネルＰＮＬと、タッチパネルＴＰと、上記のカバーガラスＣＧと、リアケースＲＣとを備えている。カバーガラスＣＧは、表示パネルＰＮＬ及びタッチパネルＴＰと一体化され、表示モジュールＭＤＬを構成している。すなわち、表示パネルＰＮＬはタッチパネルＴＰに接着され、このタッチパネルＴＰはカバーガラスＣＧに接着されている。このため、表示パネルＰＮＬ、タッチパネルＴＰ、及び、カバーガラスＣＧは、その順に、第３方向Ｚに沿って積層されている。以下に、各部材についてより詳細に説明する。
【００１６】
表示パネルＰＮＬには、液晶表示装置、有機エレクトロルミネッセンス（ＥＬ）表示装置などの各種平面表示装置を適用可能である。この表示パネルＰＮＬは、Ｘ−Ｙ平面に平行な平板状であり、画像を表示する表示面ＤＳＰを有している。表示面ＤＳＰは、タッチパネルＴＰに対向する側に位置している。なお、図示した例では、表示パネルＰＮＬとリアケースＲＣとの間に空間が形成されているが、この空間には、電子装置１を構成する他の電子部品が収納されている。但し、このような電子部品は、カバーガラスＣＧとリアケースＲＣとの間の他の空間に収納しても良く、その際には、表示パネルＰＮＬがリアケースＲＣに接することで無駄な空間をなくし、電子装置１の更なる薄型化に貢献できる。
【００１７】
タッチパネルＴＰは、物体の接触あるいは近接を検出するものであり、その方式については特に問わない。また、このタッチパネルＴＰは、その構成の一部が表示パネルＰＮＬに取り込まれていても良い。例えば、静電容量方式でタッチパネルＴＰを構成する場合、一対の電極のうちの一方の電極を表示パネルＰＮＬに取り込み、他方の電極のみをタッチパネルＴＰが備えたものであっても構わない。ここに示したタッチパネルＴＰは、例えば、静電容量方式で構成され、Ｘ−Ｙ平面に平行な平板状であり、裏面ＴＰＢと、裏面ＴＰＢと対向する表面ＴＰＴと、を有している。裏面ＴＰＢは、表示パネルＰＮＬに対向する側に位置し、接着剤ＡＤ１を介して表示パネルＰＮＬの表示面ＤＳＰに接着されている。表面ＴＰＴは、カバーガラスＣＧと対向する側に位置している。
【００１８】
カバーガラスＣＧの主要部ＭＢは、内面ＭＢＩと、この内面ＭＢＩと対向する外面ＭＢＯと、を有している。内面ＭＢＩは、タッチパネルＴＰと対向する側に位置し、接着剤ＡＤ２を介してタッチパネルＴＰの表面ＴＰＴに接着されている。外面ＭＢＯは、表示パネルＰＮＬの表示面ＤＳＰを観察可能な観察面、あるいは、タッチパネルＴＰによって物体の接触を検出する検出面、あるいは、電子装置１を操作するための操作面に相当する。
【００１９】
接着剤ＡＤ１及びＡＤ２は、透明なものであれば良く、例えば、透明な紫外線硬化型樹脂である。
【００２０】
カバーガラスＣＧの脚部Ｌ１は、主要部ＭＢの一端部ＭＢ１から電子装置１の背面側に向かってカーブしている。脚部Ｌ２は、主要部ＭＢの他端部ＭＢ２から電子装置１の背面側に向かってカーブしている。図示した例では、脚部Ｌ１及びＬ２は、Ｘ−Ｚ平面内において、それぞれ主要部ＭＢに対して曲線状に曲がった形状であるが、この例に限らない。例えば、図３に示すように、脚部Ｌ１及びＬ２は、それぞれ主要部ＭＢに対して略直角に折れ曲がり、第３方向Ｚに沿って延出した形状であっても良い。あるいは、脚部Ｌ１及びＬ２は、それぞれ主要部ＭＢの内面ＭＢＩに対して鈍角をなす方向つまり第１方向Ｚあるいは第３方向Ｚに対して鋭角に交差する斜め方向に延出していても良い。
【００２１】
リアケースＲＣは、例えば、箱状に形成され、脚部Ｌ１及びＬ２がそれぞれ固定される固定面Ｆ１及びＦ２を備えている。これらの固定面Ｆ１及びＦ２は、脚部Ｌ１及びＬ２のそれぞれと嵌合するような形状であっても良いし、接着やネジ止めなどの手法で脚部Ｌ１及びＬ２と固定されていても良い。
【００２２】
図４は、図２に示した表示パネルＰＮＬの一構成例を概略的に示す断面図である。
【００２３】
ここでは、表示パネルＰＮＬとして液晶表示装置を例に説明する。すなわち、表示パネルＰＮＬは、液晶表示パネルＬＰＮと、バックライトＢＬとを備えている。
【００２４】
液晶表示パネルＬＰＮは、第１基板としてのアレイ基板ＡＲと第２基板としての対向基板ＣＴとの間に液晶層ＬＱを保持した構成である。これらのアレイ基板ＡＲ及び対向基板ＣＴは、シール部材ＳＥによって貼り合わせられている。このような液晶表示パネルＬＰＮは、詳述しないが、液晶層ＬＱに電圧を印加するための２種類の電極（例えば、画素毎に配置された画素電極、及び、複数の画素に共通に配置された共通電極）を備えている。また、液晶表示パネルＬＰＮは、アレイ基板ＡＲの外面に貼付された第１光学素子ＯＤ１及び対向基板ＣＴの外面に貼付された第２光学素子ＯＤ２を備えている。これらの第１光学素子ＯＤ１及び第２光学素子ＯＤ２は、それぞれ偏光板を含んでおり、必要に応じて位相差板を含んでいても良い。ここに示した例では、第２光学素子ＯＤ２の表面が、上記の表示面ＤＳＰに対応する。
【００２５】
バックライトＢＬは、アレイ基板ＡＲの背面側に位置している。このバックライトＢＬは、導光板ＬＧ、導光板ＬＧの裏面側に配置された反射シートＳＨ１、導光板ＬＧとアレイ基板ＡＲとの間に配置された少なくとも一枚の光学シートＳＨ２、図示しない光源などを備えている。
【００２６】
このような液晶表示パネルＬＰＮは、バックライトＢＬを収納するケースＣＳの上に固定されている。
【００２７】
このような構成の本実施形態によれば、カバーガラスＣＧがリアケースＲＣに直接固定されているため、カバーガラスＣＧを保持したフロントケースをリアケースに固定する構造と比較して、フロントケースを省略することができ、部品点数を低減することが可能となる。これにより、低コスト化が可能となる。また、電子装置１の製造プロセスを簡略化することができ、製造コストの低減も可能となる。また、電子装置１の操作面を含む前面側に段差がなくなり、操作性を向上することが可能となる。
【００２８】
次に、本実施形態の他の構成例について説明する。
【００２９】
例えば、本実施形態において、カバーガラスＣＧの脚部Ｌ１及びＬ２は、遮光されていても良い。この点について、以下に構成例を示しながら説明する。
【００３０】
図５は、図１に示した電子装置１の他の構成例を概略的に示す断面図である。
【００３１】
図示した例では、脚部Ｌ１及びＬ２のそれぞれの内面に、遮光ＬＳＴがなされている。なお、脚部Ｌ１及びＬ２を遮光する手法としては、遮光性のテープを貼付しても良いし、これらの脚部Ｌ１及びＬ２を黒色や銀色など光をほとんど透過しない色に着色するなどの手法を適用しても良い。遮光ＬＳＴがなされた領域は、脚部Ｌ１及びＬ２のみならず、主要部ＭＢにも延在している。
【００３２】
このように、脚部Ｌ１及びＬ２が遮光されたことにより、これらの脚部Ｌ１及びＬ２からタッチパネルＴＰの側面、表示パネルＰＮＬの側面、あるいは、電子装置１の内部構造の露出を防止することが可能となる。また、表示パネルＰＮＬが含むバックライトＢＬからの不所望な漏れ光が視認されることも防止することが可能となる。また、脚部Ｌ１及びＬ２からの外光の入射が抑制されるため、電子装置１の内部での不所望な光の内部反射を抑制することが可能となり、表示パネルＰＮＬでの表示品位を良好に保つことが可能となる。
【００３３】
また、本実施形態においては、カバーガラスＣＧの主要部ＭＢは、表示パネルＰＮＬの表示面ＤＳＰを囲む枠状に遮光されていても良い。この点について、以下に構成例を示しながら説明する。
【００３４】
図６は、図１に示した電子装置１の他の構成例を概略的に示す平面図である。
【００３５】
図示した例では、矩形平板状の表示パネルＰＮＬは、長方形状の表示面ＤＳＰを有している。カバーガラスＣＧの主要部ＭＢは、表示面ＤＳＰと重なる長方形状の領域については透明であり、その周辺領域ＰＡについては遮光されている。周辺領域ＰＡは、図中に斜線で示した通り、例えば、矩形枠状に形成されている。このように周辺領域ＰＡを遮光する手法としては、図４に示した構成例と同様に、対応する主要部ＭＢの内面に遮光テープを貼付しても良いし、黒色や銀色など光をほとんど透過しない色に着色しても良い。
【００３６】
このように、主要部ＭＢの周辺領域ＰＡが遮光されたことにより、周辺領域ＰＡから電子装置１の内部構造の露出を防止することが可能となる。また、表示パネルＰＮＬが含むバックライトＢＬからの不所望な漏れ光が視認されることも防止することが可能となる。また、周辺領域ＰＡからの外光の入射が抑制され、表示パネルＰＮＬでの表示品位を良好に保つことが可能となる。
【００３７】
本実施形態においては、さらに、リアケースＲＣの固定面Ｆ１及びＦ２に発光素子を設置しても良い。この点について、以下に構成例を示しながら説明する。
【００３８】
図７は、図１に示した電子装置１の他の構成例を概略的に示す断面図である。
【００３９】
図示した例では、固定面Ｆ１及びＦ２には、それぞれ発光素子ＬＥが設置されている。このような発光素子ＬＥは、固定面Ｆ１及びＦ２のそれぞれに複数個ずつ設置されても良い。発光素子ＬＥが固定面Ｆ１及びＦ２からそれぞれカバーガラスＣＧに向かって突出した形で設置された場合には、脚部Ｌ１及びＬ２のそれぞれに発光素子ＬＥを収容する凹部ＣＣを備えたカバーガラスＣＧが適用される。これにより、脚部Ｌ１及びＬ２は、それぞれ固定面Ｆ１及びＦ２に固定されるとともに、これらの固定面Ｆ１及びＦ２から突出した発光素子ＬＥを収容することが可能となる。このような発光素子ＬＥは、電子装置１の動作状況に応じて点灯あるいは点滅することが可能である。したがって、電子装置１の見栄えの向上、あるいは、ファッション性の向上が可能となる。
【００４０】
図８は、図１に示した電子装置１の他の構成例を概略的に示す断面図である。
【００４１】
図示した例では、発光素子ＬＥは、リアケースＲＣに埋め込まれている。すなわち、リアケースＲＣは、固定面Ｆ１及びＦ２にそれぞれ形成された凹部ＦＣＣを備えている。発光素子ＬＥは、凹部ＦＣＣにそれぞれ設置されている。凹部ＦＣＣに設置されたそれぞれの発光素子ＬＥは、固定面Ｆ１及びＦ２よりもカバーガラスＣＧ側に突出していない。カバーガラスＣＧの脚部Ｌ１及びＬ２は、それぞれ固定面Ｆ１及びＦ２に固定される。脚部Ｌ１及びＬ２のそれぞれの固定面Ｇ１及びＦ２と対向する面は、図２などに示した例と同様に、平坦である。この場合、カバーガラスＣＧに凹部を形成する必要がなく、カバーガラスＣＧの整形は、先の例と同様に容易となる。
【００４２】
以上説明したように、本実施形態によれば、部品点数の低減が可能な表示モジュール及びこの表示モジュールを備えた電子装置を提供することができる。
【００４３】
上記の説明では、表示パネルＰＮＬとして液晶表示装置を適用した場合を例にとり示したが、この他にも、有機ＥＬ表示装置、ＭＥＭＳ表示装置などを適宜用いることができる。特に、表示パネルＰＮＬとして有機ＥＬ表示装置を適用した場合、バックライトが不要であるため、液晶表示装置を適用した場合と比較して、より薄型化が可能となる。
【００４４】
また、上記の説明では、カバーガラスＣＧの主要部ＭＢが略平坦であり、外面ＭＢＯ及び内面ＭＢＩも略平坦であるものとしたが、デザイン性や操作性等を考慮して、主要部ＭＢが湾曲していても良いし、主要部ＭＢが部分的に肉厚に構成されていても良い。この場合、主要部ＭＢの内面ＭＢＩの形状に合わせて、タッチパネルＴＰ及び表示パネルＰＮＬを取り付けても良い。
【００４５】
図９に示した例は、主要部ＭＢが電子装置１の内部に向かって湾曲している。外面ＭＢＯ及び内面ＭＢＩは、いずれもリアケースＲＣの側に向かって突出した形状である。タッチパネルＴＰ及び表示パネルＰＮＬは、いずれも内面ＭＢＩの形状に合わせて湾曲した状態で接着されている。このような構成において、表示パネルＰＮＬとしては、フレキシブル基板を用いた有機ＥＬ表示装置を適用することができる。
【００４６】
図１０に示した例では、図９に示した例と同様に、主要部ＭＢが電子装置１の内部に向かって湾曲しているが、タッチパネルＴＰ及び表示パネルＰＮＬはいずれも平板状の形状を維持した状態で内面ＭＢＩに接着されている。つまり、タッチパネルＴＰを内面ＭＢＩに接着する接着剤ＡＤ２の膜厚は、タッチパネルＴＰの中央部よりもタッチパネルＴＰの周辺部の方が厚い。
【００４７】
これらの例においても、上記の例と同様の効果が得られる。
【００４８】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００４９】
１…電子装置  ＭＤＬ…表示モジュール
ＰＮＬ…表示パネル  ＤＳＰ…表示面
ＴＰ…タッチパネル  ＴＰＢ…裏面  ＴＰＴ…表面
ＣＧ…カバーガラス  ＭＢ…主要部  Ｌ１、Ｌ２…脚部
ＭＢＩ…内面  ＭＢＯ…外面
ＲＣ…リアケース  Ｆ１、Ｆ２…固定面
ＬＳＴ…遮光テープ
ＰＡ…周辺領域
ＬＥ…発光素子
ＣＣ…凹部
【図１】
2014010294.tif 000003
【図２】
2014010294.tif 000004
【図３】
2014010294.tif 000005
【図４】
2014010294.tif 000006
【図５】
2014010294.tif 000007
【図６】
2014010294.tif 000008
【図７】
2014010294.tif 000009
【図８】
2014010294.tif 000010
【図９】
2014010294.tif 000011
【図１０】
2014010294.tif 000012